(57)【要約】  【課題】  永続的に、ワイヤを取り付ける際にレンズホルダをベース部材に対して傾きの無い正規の状態に位置決めして保持することができる光ピックアップアクチュエータ用の組付け治具を提供する。  【解決手段】  組付け用治具は、テーブル部材２０と保持部材３０とより構成される。テーブル部材２０は、ベース部材１の基準面である下面１ｃを固定支持するとともに、レンズホルダ２の基準面である下面２ｃを支持する。保持部材３０は、ベース部材１の備えた永久磁石３ａ、３ｂと磁気的に引き合う一対の永久磁石３２ａ、３２ｂを備え、この永久磁石３２ａ、３２ｂ同士の間の中心から突出してその先端面３３ａがレンズホルダ２のレンズ乗せ面２ｄと当接する軸部３３を有する。【選択図】      図１
2007018669.tif 000002
【特許請求の範囲】
【請求項１】
一対の永久磁石を備え回路基板が立設されたベース部材と、対物レンズが取り付けられ
るレンズ載せ面を上面に有し、フォーカス用コイル、トラッキング用コイル及びチルト用
コイルを備えて前記永久磁石同士の間に配置されたレンズホルダと、各々の一端が前記回
路基板に接続されるとともに各々の他端が前記フォーカス用コイル、トラッキング用コイ
ル又はチルト用コイルに接続されて各々が前記レンズホルダに接合され、前記ベース部材
に対して前記レンズホルダを揺動可能に支持する複数本のワイヤと、を含む光ピックアッ
プアクチュエータについて、前記ワイヤを取り付ける際に前記ベース部材に対して前記レ
ンズホルダを位置決めして保持する組付け治具であって、
前記ベース部材の下面を固定支持するとともに、前記レンズホルダの下面を支持するテ
ーブル部材と、
前記ベース部材の備えた前記永久磁石と磁気的に引き合う一対の永久磁石を備え、この
永久磁石同士の間の中心から突出してその先端面が前記レンズホルダの前記レンズ乗せ面
と当接する軸部を有する保持部材と、より成り、
前記保持部材の備えた前記永久磁石の磁力が、前記ベース部材の備えた前記永久磁石の
磁力と同じであり、
前記ベース部材及び前記テーブル部材が強磁性の金属であるとともに、前記テーブル部
材が磁化されていて、
前記ベース部材が前記テーブル部材に磁着されて固定支持されることを特徴とする光ピ
ックアップアクチュエータ用の組付け治具。
【請求項２】
一対の永久磁石を備え回路基板が立設されたベース部材と、対物レンズが取り付けられ
るレンズ載せ面を上面に有し、フォーカス用コイル及びトラッキング用コイルを備えて前
記永久磁石同士の間に配置されたレンズホルダと、各々の一端が前記回路基板に接続され
るとともに各々の他端が前記フォーカス用コイル又はトラッキング用コイルに接続されて
各々が前記レンズホルダに接合され、前記ベース部材に対して前記レンズホルダを揺動可
能に支持する複数本のワイヤと、を含む光ピックアップアクチュエータについて、前記ワ
イヤを取り付ける際に前記ベース部材に対して前記レンズホルダを位置決めして保持する
組付け治具であって、
前記ベース部材の下面を固定支持するとともに、前記レンズホルダの下面を支持するテ
ーブル部材と、
前記ベース部材の備えた前記永久磁石と磁気的に引き合う一対の永久磁石を備え、この
永久磁石同士の間の中心に前記レンズホルダの前記レンズ乗せ面と当接する当接面を有す
る保持部材と、より成ることを特徴とする光ピックアップアクチュエータ用の組付け治具
。
【請求項３】
前記当接面は、前記保持部材の備えた前記永久磁石同士の間の中心から突出した軸部の
先端面であることを特徴とする請求項２に記載の光ピックアップアクチュエータ用の組付
け治具。
【請求項４】
前記保持部材の備えた前記永久磁石の磁力が、前記ベース部材の備えた前記永久磁石の
磁力と同じであることを特徴とする請求項２又は３に記載の光ピックアップアクチュエー
タ用の組付け治具。
【請求項５】
前記ベース部材及び前記テーブル部材が強磁性の金属であるとともに、前記テーブル部
材が磁化されていて、
前記ベース部材が前記テーブル部材に磁着されて固定支持されることを特徴とする請求
項２〜４のいずれかに記載の光ピックアップアクチュエータ用の組付け治具。
【発明の詳細な説明】
【技術分野】
【０００１】
本発明は、情報記録媒体であるＣＤやＤＶＤ等の光ディスクに対して情報の再生や記録
を行うための光ピックアップ装置に搭載されるワイヤ支持方式の光ピックアップアクチュ
エータに関し、特に、光ピックアップアクチュエータを製作する過程のうちでワイヤを取
り付ける際に用いる組付け治具に関する。
【背景技術】
【０００２】
光ピックアップ装置では、半導体レーザから出射されたレーザ光を対物レンズを通じて
光ディスクの記録面上に高精度に集光させることが要求されるため、これを実現する構成
として光ピックアップアクチュエータ（以下、単に「アクチュエータ」と記すことがある
）が不可欠である。
【０００３】
そのアクチュエータとしては、対物レンズを備えたレンズホルダが複数本のワイヤ（金
属線）によってベース部材に対して揺動可能に支持された、いわゆるワイヤ支持方式のも
のがある（例えば、特許文献１、２参照）。このアクチュエータの具体的な構成を図２〜
図５を参照しながら説明する。図２はアクチュエータの外観を示す上面図、図３はそのア
クチュエータの側面図、図４は図３のＡ−Ａ断面図、図５は図３のＢ−Ｂ断面図である。
【０００４】
アクチュエータは、大きくは、強磁性を有する金属製のベース部材１と、樹脂成型品の
レンズホルダ２と、より構成される。
【０００５】
ベース部材１は、光ピックアップ装置における半導体レーザや光学系や光検出器等が装
着される可動部材（不図示）に固定されるものであって、そのほぼ中央に、半導体レーザ
からのレーザ光を通過させる貫通孔（不図示）が形成され、詳細は後述するレンズホルダ
２が配置される。また、ベース部材１上には、レンズホルダ２を挟むように所定間隔をあ
けて相互に対向する一対の永久磁石３ａ、３ｂが立設されている。これらの各永久磁石３
ａ、３ｂは、各々の外面がベース部材１から折曲形成された突片１ａ、１ｂに磁着される
ことで、ベース部材１と磁性的に一体化された状態で固定される。
【０００６】
更にベース部材１には、永久磁石３ａ、３ｂ同士の間に、これらの永久磁石３ａ、３ｂ
の対向方向と直角な方向で対向する一対のヨーク４ａ、４ｂが立設されている。これらの
各ヨーク４ａ、４ｂは、ベース部材１から折曲形成されて成る。ここで、各ヨーク４ａ、
４ｂは、各永久磁石３ａ、３ｂからの磁束を有効に引き込んで、主として、両者の間に配
置される後述のフォーカス用コイル６やトラッキング用コイル７ａ、７ｂやチルト用コイ
ル８ａ、８ｂに高密度の磁束を与え、これにより、レンズホルダ２の駆動効率を高める役
割を担う。
【０００７】
続いて、レンズホルダ２は、その上面の中央部に形成されたレンズ載せ面２ｄ上に対物
レンズ５を備え、この対物レンズ５を挟んで左右にヨーク４ａ、４ｂが貫通している。こ
のレンズホルダ２の側壁の内側には、対物レンズ５の光軸を取り巻くようにフォーカス用
コイル６が挿入され、レンズホルダ２に対し接着剤等で固着されている。また、レンズホ
ルダ２の側壁のうちの各永久磁石３ａ、３ｂと対向する両側壁の外側には、それぞれトラ
ッキング用コイル７ａ、７ｂが接着剤等で固着されている。これらの各トラッキング用コ
イル７ａ、７ｂは、それぞれヨーク４ａ、４ｂと対向するように左右に一対より成り、全
体として１本の線でつながっている。また、フォーカス用コイル６の下には、各ヨーク４
ａ、４ｂをそれぞれ取り巻くようにチルト用コイル８ａ、８ｂが接着剤等で固着されてい
る。これらの各チルト用コイル８ａ、８ｂも、全体として１本の線でつながっている。
【０００８】
また、ベース部材１上には、一方の永久磁石３ｂが磁着された突片１ｂの外面側に、ポ
リカーボネイト等の樹脂成型品のゲルホルダ９が固定され、更にそのゲルホルダ９の外側
に隣接して回路基板１０が立設されている。この回路基板１０には、左右両側近傍におい
てそれぞれに上下方向で３個所ずつ、導電性を有するワイヤ１１ａ、１１ｂ、１１ｃ、１
１ｄ、１１ｅ、１１ｆの各一端がハンダ付けにて接続されている。これら６本の各ワイヤ
１１ａ、１１ｂ、１１ｃ、１１ｄ、１１ｅ、１１ｆは、回路基板１０への接続個所に対応
した位置、すなわち左右両側においてそれぞれに３個所ずつでゲルホルダ９に形成された
各貫通孔１２ａ、１２ｂ、１２ｃ、１２ｄ、１２ｅ、１２ｆを挿通している。
【０００９】
更に各ワイヤ１１ａ、１１ｂ、１１ｃ、１１ｄ、１１ｅ、１１ｆは、レンズホルダ２の
左右両側から突出する突条２ａ、２ｂに接着剤等で接合され、これにより、レンズホルダ
２は各ワイヤ１１ａ、１１ｂ、１１ｃ、１１ｄ、１１ｅ、１１ｆによってベース部材１に
対し揺動可能に支持される。そして、上段の各ワイヤ１１ａ、１１ｄの他端はフォーカス
用コイル６にハンダ付けにて接続され、中段の各ワイヤ１１ｂ、１１ｅの他端はトラッキ
ング用コイル７ａ、７ｂにハンダ付けにて接続され、下段の各ワイヤ１１ｃ、１１ｆの他
端はチルト用コイル８ａ、８ｂにハンダ付けにて接続されている。
【００１０】
また、各ワイヤ１１ａ〜１１ｆが挿通されたゲルホルダ９の各貫通孔１２ａ〜１２ｆ内
には、シリコンを主成分とするゲル材が充填されている。ここでのゲル材は、低粘度のゲ
ル材（ゾル）がゲルホルダ９の各貫通孔１２ａ〜１２ｆに注入された後、所定時間の紫外
線照射によってゲル状に硬化したものである。
【００１１】
このような構成のアクチュエータでは、回路基板１０から各ワイヤ１１ａ〜１１ｆを通
じてフォーカス用コイル６やトラッキング用コイル７ａ、７ｂやチルト用コイル８ａ、８
ｂに電流が供給され、これにより、各永久磁石３ａ、３ｂとの間での電磁気的な作用でレ
ンズホルダ２が駆動して微動し、対物レンズ５へのフォーカス調整やトラッキング調整や
チルト調整が行われるようになる。なお、レンズホルダ２の駆動に応じて各ワイヤ１１ａ
〜１１ｆに生じた振動は、ゲルホルダ９における各貫通孔１２ａ〜１２ｆ内のゲル材によ
って減衰し、抑制される。
【００１２】
ここで、上記したアクチュエータにおいては、静止時すなわち非駆動時でのベース部材
１に対するレンズホルダ２の傾きを予め抑えておくことが重要である。その傾きは、ベー
ス部材１に対する対物レンズ５の傾きに相当し、アクチュエータ自体の性能に影響を及ぼ
すからである。そのため、アクチュエータを製作するにあたり、対物レンズ５を取り付け
る前のレンズホルダ２をベース部材１に対して傾きの無い正規の状態に位置決めして保持
し、この状態でワイヤ１１ａ〜１１ｆを取り付けるようにしている。その位置決め保持に
は、組付け治具が用いられる。
【００１３】
その従来の組付け治具について、図６を参照しながら説明する。図６は従来の組付け治
具の側面図であって、（ａ）は組付け前の状態を示し、（ｂ）は組付け後の状態を示して
いる。組付け治具は、大きくは、下側のテーブル部材１２０と、上側の保持部材１３０と
、より構成される。
【００１４】
テーブル部材１２０は、強磁性の金属より成る基台１２１を有し、この基台１２１は磁
化されている。この基台１２１の上面１２１ａのほぼ中央には、補助台１２２が突設され
ている。この補助台１２２の上面１２２ａと、基台１２１の上面１２１ａとは互いに平行
になっている。また、基台１２１の両端には、上方に向けて突出する一対の案内台１２３
、１２３が設けられている。これらの各案内台１２３、１２３には、基台１２１の上面１
２１ａ（補助台１２２の上面１２２ａ）に直交して上方へ開口する案内穴１２４、１２４
が形成されている。
【００１５】
このようなテーブル部材１２０においては、アクチュエータを構成するベース部材１が
、その基準面である下面１ｃを基台１２１の上面１２１ａで支持されるとともに、アクチ
ュエータを構成するレンズホルダ２が、その基準面である下面２ｃを、ベース部材１にお
けるレーザ光通過用の貫通孔を貫通した補助台１２２の上面１２２ａで支持される。ここ
でのベース部材１は、テーブル部材１２０の磁化された基台１２１に磁着されて支持され
るため、両者は固定の状態にあり、他方のレンズホルダ２は、テーブル部材１２０の補助
台１２２上で単に支持された可動の状態にある（図６（ａ）参照）。
【００１６】
一方、保持部材１３０は、テーブル部材１２０の基台１２１とほぼ同じ大きさの基体１
３１を有する。この基体１３１には、テーブル部材１２０の補助台１２２と上下方向で対
向する位置に、捩られることで上下方向に進退する軸部１３２が設けられている。この軸
部１３２の下端である先端面１３２ａは、軸部１３２の進退する方向と直交する。
【００１７】
また、基体１３１には、テーブル部材１２０の各案内台１２３、１２３と上下方向で対
向する位置に、下方に向けて突出する一対の脚部１３３、１３３が設けられている。これ
らの各脚部１３３、１３３の下端からは、テーブル部材１２０の各案内台１２３、１２３
における案内穴１２４、１２４と上下方向で対向する位置に、軸部１３２の先端面１３２
ａに直交する方向に突出する案内軸１３４、１３４が形成されている。これらの各案内軸
１３４、１３４の径は、テーブル部材１２０の各案内台１２３、１２３における案内穴１
２４、１２４の径よりも僅かに小さい。
【００１８】
このような保持部材１３０は、図６（ｂ）に示すように、ベース部材１及びレンズホル
ダ２を支持しているテーブル部材１２０に対し、上方より組み付けられる。その際、保持
部材１３０の各脚部１３３、１３３における案内軸１３４、１３４が、テーブル部材１２
０の各案内台１２３、１２３における案内穴１２４、１２４に挿入されて嵌合し、両者が
抜け止めビス（不図示）で固定される。そして、保持部材１３０の軸部１３２を捩って下
方に進出させ、その先端面１３２ａをレンズホルダ２のレンズ載せ面２ｄに当接させる。
ここでのレンズホルダ２のレンズ載せ面２ｄは、その下面２ｃ（基準面）と互いに平行に
なっている。
【００１９】
こうして、ワイヤ１１ａ〜１１ｆを取り付けるにあたり、テーブル部材１２０の補助台
１２２上で支持されているレンズホルダ２は、保持部材１３０の軸部１３２との当接によ
って押さえ込まれ、テーブル部材１２０の基台１２１上で固定支持されているベース部材
１に対して、傾きの無い正規の状態に位置決めされて保持される。
【特許文献１】特開２００２−８３４４３号公報
【特許文献２】特開２０００−３０２７４号公報
【発明の開示】
【発明が解決しようとする課題】
【００２０】
しかし、上記した従来の組付け治具では、使用の度に、保持部材１３０の案内軸１３４
、１３４と、テーブル部材１２０の案内穴１２４、１２４との抜き差しがなされるため、
使用を重ねるに連れて、次第に案内軸１３４や案内穴１２４が磨耗したり、変形したりす
ることは否めない。その磨耗や変形が過大になると、案内軸１３４と案内穴１２４との嵌
合が緩くなり、テーブル部材１２０に対して保持部材１３０のガタツキが生じる。
【００２１】
このように組付け治具にガタツキが生じた場合、レンズホルダ２の姿勢が不安定になる
ため、レンズホルダ２をベース部材１に対して傾きの無い正規の状態に位置決めして保持
することができない。従って、そのままワイヤ１１ａ〜１１ｆを取り付け、更に対物レン
ズ５を取り付けても、ベース部材１に対してレンズホルダ２すなわち対物レンズ５が傾い
た状態になり、アクチュエータ自体の性能に悪影響を来たす。
【００２２】
そこで本発明は、上記の問題に鑑みてなされたものであり、永続的に、ワイヤを取り付
ける際にレンズホルダをベース部材に対して傾きの無い正規の状態に位置決めして保持す
ることができる光ピックアップアクチュエータ用の組付け治具を提供することを目的とす
るものである。
【課題を解決するための手段】
【００２３】
上記目的を達成するため、本発明による組付け治具は、一対の永久磁石を備え回路基板
が立設されたベース部材と、対物レンズが取り付けられるレンズ載せ面を上面に有し、フ
ォーカス用コイル、トラッキング用コイル及びチルト用コイルを備えて前記永久磁石同士
の間に配置されたレンズホルダと、各々の一端が前記回路基板に接続されるとともに各々
の他端が前記フォーカス用コイル、トラッキング用コイル又はチルト用コイルに接続され
て各々が前記レンズホルダに接合され、前記ベース部材に対して前記レンズホルダを揺動
可能に支持する複数本のワイヤと、を含む光ピックアップアクチュエータについて、前記
ワイヤを取り付ける際に前記ベース部材に対して前記レンズホルダを位置決めして保持す
る組付け治具であって、次の点を特徴とする。前記ベース部材の下面を固定支持するとと
もに、前記レンズホルダの下面を支持するテーブル部材と、前記ベース部材の備えた前記
永久磁石と磁気的に引き合う一対の永久磁石を備え、この永久磁石同士の間の中心から突
出してその先端面が前記レンズホルダの前記レンズ乗せ面と当接する軸部を有する保持部
材と、より成る。前記保持部材の備えた前記永久磁石の磁力が、前記ベース部材の備えた
前記永久磁石の磁力と同じである。そして、前記ベース部材及び前記テーブル部材が強磁
性の金属であるとともに、前記テーブル部材が磁化されていて、前記ベース部材が前記テ
ーブル部材に磁着されて固定支持される。
【００２４】
これにより、ワイヤを取り付けるにあたり、テーブル部材上で支持されているレンズホ
ルダは、磁気的な吸引力を伴う保持部材の当接面とレンズホルダのレンズ載せ面との当接
によって押さえ込まれ、テーブル部材上で固定支持されているベース部材に対して、傾き
の無い正規の状態に位置決めされて保持される。その際、レンズホルダの保持を磁気的な
引力のみに頼っていることから、使用を重ねても精度は一切変わらない。
【００２５】
また、上記目的を達成するための本発明による組付け治具は、一対の永久磁石を備え回
路基板が立設されたベース部材と、対物レンズが取り付けられるレンズ載せ面を上面に有
し、フォーカス用コイル及びトラッキング用コイルを備えて前記永久磁石同士の間に配置
されたレンズホルダと、各々の一端が前記回路基板に接続されるとともに各々の他端が前
記フォーカス用コイル又はトラッキング用コイルに接続されて各々が前記レンズホルダに
接合され、前記ベース部材に対して前記レンズホルダを揺動可能に支持する複数本のワイ
ヤと、を含む光ピックアップアクチュエータについて、前記ワイヤを取り付ける際に前記
ベース部材に対して前記レンズホルダを位置決めして保持する組付け治具であって、次の
点を特徴とする。前記ベース部材の下面を固定支持するとともに、前記レンズホルダの下
面を支持するテーブル部材と、前記ベース部材の備えた前記永久磁石と磁気的に引き合う
一対の永久磁石を備え、この永久磁石同士の間の中心に前記レンズホルダの前記レンズ乗
せ面と当接する当接面を有する保持部材と、より成る。
【００２６】
これにより、ワイヤを取り付けるにあたり、テーブル部材上で支持されているレンズホ
ルダは、磁気的な吸引力を伴う保持部材の当接面とレンズホルダのレンズ載せ面との当接
によって押さえ込まれ、テーブル部材上で固定支持されているベース部材に対して、傾き
の無い正規の状態に位置決めされて保持される。その際、レンズホルダの保持を磁気的な
引力のみに頼っていることから、使用を重ねても精度は一切変わらない。
【００２７】
ここで実用的には、前記当接面は、前記保持部材の備えた前記永久磁石同士の間の中心
から突出した軸部の先端面であるとよい。
【００２８】
また、前記保持部材の備えた前記永久磁石の磁力が、前記ベース部材の備えた前記永久
磁石の磁力と同じであることが好ましい。
【００２９】
また、前記ベース部材及び前記テーブル部材が強磁性の金属であるとともに、前記テー
ブル部材が磁化されていて、前記ベース部材が前記テーブル部材に磁着されて固定支持さ
れることが好ましい。
【発明の効果】
【００３０】
本発明の組付け治具によれば、レンズホルダの保持を磁気的な引力のみに頼っているこ
とから、使用を重ねても精度は一切変わらず、その結果として、永続的に、ワイヤを取り
付ける際にレンズホルダをベース部材に対して傾きの無い正規の状態に位置決めして保持
することができる。
【発明を実施するための最良の形態】
【００３１】
以下に、本発明の光ピックアップアクチュエータ用の組付け治具の一実施形態について
、図面を参照しながら詳述する。図１はアクチュエータ用の組付け治具の側面図であって
、（ａ）は組付け前の状態を示し、（ｂ）は組付け後の状態を示している。
【００３２】
組付け治具は、大きくは、下側のテーブル部材２０と、上側の保持部材３０と、より構
成される。
【００３３】
テーブル部材２０は、強磁性の金属より成る基台２１を有し、この基台２１は磁化され
ている。この基台２１の上面２１ａのほぼ中央には、補助台２２が突設されている。この
補助台２２の上面２２ａと、基台２１の上面２１ａとは互いに平行になっている。
【００３４】
このようなテーブル部材２０においては、アクチュエータを構成するベース部材１が、
その基準面である下面１ｃを基台２１の上面２１ａで支持されるとともに、アクチュエー
タを構成するレンズホルダ２が、その基準面である下面２ｃを、ベース部材１におけるレ
ーザ光通過用の貫通孔を貫通した補助台２２の上面２２ａで支持される。ここでのベース
部材１は、テーブル部材２０の磁化された基台２１に磁着されて支持されるため、両者は
固定の状態にあり、他方のレンズホルダ２は、テーブル部材２０の補助台２２上で単に支
持された可動の状態にある（図１（ａ）参照）。
【００３５】
一方、保持部材３０は基体３１を有する。この基体３１には、テーブル部材２０の基台
２１上に固定支持されたベース部材１における各永久磁石３ａ、３ｂと上下方向で対向す
る位置に、それらの各永久磁石３ａ、３ｂと磁気的に引き合う一対の永久磁石３２ａ、３
２ｂが設けられている。例えば、ベース部材１における各永久磁石３ａ、３ｂの磁極が、
互いの内向きにＮ極、外向きにＳ極となっている場合、基体３１における各永久磁石３２
ａ、３２ｂの磁極は、それとは逆に、互いの内向きにＳ極、外向きにＮ極が配置された格
好になっている。
【００３６】
ここでの保持部材３０の基体３１における永久磁石３２ａ、３２ｂの磁力は、ベース部
材１における永久磁石３ａ、３ｂの磁力と互いに同じであることが好ましい。互いに引き
合う力が有効に作用するからである。但し、それらの磁力が互いに異なっていても構わな
い。
【００３７】
なお、それらの各永久磁石３２ａ、３２ｂは、基体３１に埋め込まれた状態で接着剤等
によって一体に固定されている。但し、基体３１として強磁性の金属を用いた場合は、磁
着によって固定されても構わない。
【００３８】
また、基体３１には、永久磁石３２ａ、３２ｂ同士の間の中心から下方に向けて突出す
る軸部３３が設けられている。この軸部３３の下端である先端面３３ａは、軸部３３の突
出する方向と直交する。その軸部３３の先端面３３ａの径は、レンズホルダ２のレンズ載
せ面２ｄの径よりも僅かに小さい。
【００３９】
このような保持部材３０は、図１（ｂ）に示すように、ベース部材１及びレンズホルダ
２を支持しているテーブル部材２０に対し、上方より組み付けられる。その際、保持部材
３０における各永久磁石３２ａ、３２ｂが、テーブル部材２０の基台２１上に固定支持さ
れたベース部材１における各永久磁石３ａ、３ｂと互いの磁力で引き合い、保持部材３０
における軸部３３の先端面３３ａがレンズホルダ２のレンズ載せ面２ｄに当接する。ここ
でのレンズホルダ２のレンズ載せ面２ｄは、その下面２ｃ（基準面）と互いに平行になっ
ている。
【００４０】
こうして、ワイヤ１１ａ〜１１ｆを取り付けるにあたり、テーブル部材２０の補助台２
２上で支持されているレンズホルダ２は、磁気的な吸引力を伴う保持部材３０の軸部３３
との当接によって押さえ込まれ、テーブル部材２０の基台２１上で固定支持されているベ
ース部材１に対して、傾きの無い正規の状態に位置決めされて保持される。
【００４１】
このような組付け治具では、レンズホルダ２の保持を磁気的な引力のみに頼っているこ
とから、使用を重ねても精度は一切変わらない。従って、永続的に、ワイヤ１１ａ〜１１
ｆを取り付ける際にレンズホルダ２をベース部材１に対して傾きの無い正規の状態に位置
決めして保持することができる。
【００４２】
その他本発明は上記の実施形態に限定されず、本発明の趣旨を逸脱しない範囲で、種々
の変更が可能である。例えば、基台２１上でのベース部材１の固定支持の手法については
、磁着に代えて、ビスによる固定であっても構わない。この場合、基台２１の磁化は不要
である。
【００４３】
もっとも、上記の実施形態では、対物レンズへのチルト調整も行えるように、レンズホ
ルダにチルト用コイルを備えたものを示したが、チルト用コイルを備えていないアクチュ
エータにも、適用が可能である。また、上記の実施形態では、レンズホルダの駆動効率を
より高める観点から、ベース部材上にヨークを備えたものを示したが、ヨークを備えてい
ないアクチュエータにも、適用が可能である。
【産業上の利用可能性】
【００４４】
本発明は、光ピックアップ装置に搭載されるワイヤ支持方式の光ピックアップアクチュ
エータに有用である。
【図面の簡単な説明】
【００４５】
【図１】本発明の一実施形態である光ピックアップアクチュエータ用の組付け治具の側面図である。
【図２】光ピックアップアクチュエータの外観を示す上面図である。
【図３】光ピックアップアクチュエータの側面図である。
【図４】図３のＡ−Ａ断面図である。
【図５】図３のＢ−Ｂ断面図である。
【図６】従来の光ピックアップアクチュエータ用の組付け治具の側面図である。
【符号の説明】
【００４６】
１    ベース部材
１ｃ    ベース部材の下面
２    レンズホルダ
２ｃ    レンズホルダの下面
２ｄ    レンズホルダのレンズ載せ面
３ａ、３ｂ    永久磁石
５    対物レンズ
６    フォーカス用コイル
７ａ、７ｂ    トラッキング用コイル
１０    回路基板
１１ａ、１１ｂ、１１ｃ、１１ｄ、１１ｅ、１１ｆ    ワイヤ
２０    テーブル部材
２１    基台
２１ａ    基台の上面
２２    補助台
２２ａ    補助台の上面
３０    保持部材
３１    基体
３２ａ、３２ｂ    永久磁石
３３    軸部
３３ａ    軸部の先端面
【図１】
2007018669.tif 000003
【図２】
2007018669.tif 000004
【図３】
2007018669.tif 000005
【図４】
2007018669.tif 000006
【図５】
2007018669.tif 000007
【図６】
2007018669.tif 000008